(57)【要約】【課題】マウント部による反射光を低減させることができる交換レンズ及びカメラシステムを提供する。【解決手段】交換レンズ１０は、カメラ３０と結合を行うマウント部１１と、マウント部１１に設けられ、マウント部１１がカメラ３０と結合した状態で、カメラ３０側からマウント部１１に到達する光を遮る遮光部材４１とを備える。【選択図】図１
2007264017.tif 000002
【特許請求の範囲】
【請求項１】
カメラと結合を行うマウント部と、
前記マウント部に設けられ、前記マウント部が前記カメラと結合した状態で、前記カメラ側から前記マウント部に到達する光を遮る遮光部材と、
を備える交換レンズ。
【請求項２】
請求項１に記載の交換レンズにおいて、
前記マウント部は、該マウント部の中央側から外側に向かう方向に形成され、前記カメラと係合して抜け止めとなる係合突出部を有し、
前記遮光部材は、前記係合突出部に設けられていること、
を特徴とする交換レンズ。
【請求項３】
請求項１又は請求項２に記載の交換レンズにおいて、
前記マウント部は、その内径側に保護部材が設けられており、
前記遮光部材は、前記保護部材に設けられていること、
を特徴とする交換レンズ。
【請求項４】
請求項３に記載の交換レンズにおいて、
前記遮光部材は、前記保護部材から外周側に向けて突出して設けられた突出部であること、
を特徴とする交換レンズ。
【請求項５】
請求項１から請求項４までのいずれか１項に記載の交換レンズにおいて、
前記マウント部は、前記カメラとの接合面側に向かって凹んだ凹部を有し、
前記遮光部材は、前記凹部に設けられていること、
を特徴とする交換レンズ。
【請求項６】
請求項１から請求項５までのいずれか１項に記載の交換レンズにおいて、
前記遮光部材は、前記マウント部よりもカメラ側に突出した部分であり、撮影画面の辺に対応する部分に設けられていること、
を特徴とする交換レンズ。
【請求項７】
請求項１から請求項６までのいずれか１項に記載の交換レンズにおいて、
前記遮光部材は、その表面が起毛部であること、
を特徴とする交換レンズ。
【請求項８】
請求項１から請求項７までのいずれか１項に記載の交換レンズにおいて、
前記マウント部の非摺動部分に形成され、前記マウント部の摺動部分よりも反射率が低い低反射率部を備えること、
を特徴とする交換レンズ。
【請求項９】
請求項８に記載の交換レンズにおいて、
前記低反射率部は、塗装により形成されていること、
を特徴とする交換レンズ。
【請求項１０】
カメラと結合を行うマウント部と、
前記マウント部の非摺動部分に形成され、前記マウント部の摺動部分よりも反射率が低い低反射率部と、
を備える交換レンズ。
【請求項１１】
請求項１０に記載の交換レンズにおいて、
前記低反射率部は、塗装により形成されていること、
を特徴とする交換レンズ。
【請求項１２】
請求項１から請求項１１までのいずれか１項に記載の交換レンズを備えるカメラシステム。
【発明の詳細な説明】
【技術分野】
【０００１】
本発明は、交換レンズ及びカメラシステムに関するものである。
【背景技術】
【０００２】
特許文献１では、有害光カット絞りをイメージサークルの大きさに応じて付け替える提案がなされているが、マウント部に起因する反射光を低減させることはできなかった。
【特許文献１】特開２０００−１２１９０４号公報
【発明の開示】
【発明が解決しようとする課題】
【０００３】
本発明の課題は、マウント部による反射光を低減させることができる交換レンズ及びカメラシステムを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、カメラ（３０）と結合を行うマウント部（１１）と、前記マウント部（１１）に設けられ、前記マウント部（１１）が前記カメラ（３０）と結合した状態で、前記カメラ（３０）側から前記マウント部（１１）に到達する光を遮る遮光部材（４１，４２，４３）と、を備える交換レンズ（１０，１０−２，１０−３）である。
請求項２の発明は、請求項１に記載の交換レンズ（１０，１０−２）において、前記マウント部（１１）は、該マウント部（１１）の中央側から外側に向かう方向に形成され、前記カメラ（３０）と係合して抜け止めとなる係合突出部（１１ａ）を有し、前記遮光部材（４１，４２）は、前記係合突出部（１１ａ）に設けられていること、を特徴とする交換レンズ（１０，１０−２）である。
請求項３の発明は、請求項１又は請求項２に記載の交換レンズ（１０，１０−２，１０−３）において、前記マウント部（１１）は、その内径側に保護部材（１２）が設けられており、前記遮光部材（４１，４２，４３）は、前記保護部材（１２）に設けられていること、を特徴とする交換レンズ（１０，１０−２，１０−３）である。
請求項４の発明は、請求項３に記載の交換レンズ（１０，１０−２）において、前記遮光部材（４１，４２）は、前記保護部材（１２）から外周側に向けて突出して設けられた突出部であること、を特徴とする交換レンズ（１０，１０−２）である。
請求項５の発明は、請求項１から請求項４までのいずれか１項に記載の交換レンズ（１０−２，１０−３）において、前記マウント部（１１）は、前記カメラ（３０）との接合面側に向かって凹んだ凹部（１１ｂ）を有し、前記遮光部材（４２）は、前記凹部（１１ｂ）に設けられていること、を特徴とする交換レンズ（１０−２，１０−３）である。
請求項６の発明は、請求項１から請求項５までのいずれか１項に記載の交換レンズ（１０−３）において、前記遮光部材（４３）は、前記マウント部（１１）よりもカメラ（３０）側に突出した部分であり、撮影画面（３２）の辺に対応する部分に設けられていること、を特徴とする交換レンズ（１０−３）である。
請求項７の発明は、請求項１から請求項６までのいずれか１項に記載の交換レンズ（１０，１０−２，１０−３）において、前記遮光部材（４１，４２，４３）は、その表面が起毛部であること、を特徴とする交換レンズ（１０，１０−２，１０−３）である。
請求項８の発明は、請求項１から請求項７までのいずれか１項に記載の交換レンズにおいて、前記マウント部の非摺動部分に形成され、前記マウント部の摺動部分よりも反射率が低い低反射率部を備えること、を特徴とする交換レンズである。
請求項９の発明は、請求項８に記載の交換レンズにおいて、前記低反射率部は、塗装により形成されていること、を特徴とする交換レンズである。
請求項１０の発明は、カメラ（３０）と結合を行うマウント部（１１）と、前記マウント部（１１）の非摺動部分（１１ｃ）に形成され、前記マウント部（１１）の摺動部分よりも反射率が低い低反射率部（４４）と、を備える交換レンズ（１０−４）である。
請求項１１の発明は、請求項１０に記載の交換レンズ（１０−４）において、前記低反射率部（４４）は、塗装により形成されていること、を特徴とする交換レンズ（１０−４）である。
請求項１２の発明は、請求項１から請求項１１までのいずれか１項に記載の交換レンズ（１０−１，１０−２，１０−３，１０−４）を備えるカメラシステムである。
なお、符号を付して説明した構成は適宜改良してもよく、また、少なくとも一部を他の構成物に代替してもよい。
【発明の効果】
【０００５】
本発明によれば、マウント部による反射光を低減させることができる交換レンズ及びカメラシステムを提供することができる。
【発明を実施するための最良の形態】
【０００６】
マウント部による反射光を低減させるという目的を、バヨネットマウントに遮光部材を備えさせることにより実現する。
【実施例１】
【０００７】
以下、図面等を参照して、本発明の実施例をあげて、さらに詳しく説明する。
図１は、実施例１の交換レンズを用いた一眼レフカメラの一部を示す図である。
一眼レフカメラに代表される交換レンズ式の撮影機材は、一般的には、バヨネットマウントを用いて、交換レンズ１０とカメラ本体３０とが結合される。
カメラ本体３０は、ローパスフィルタ３１と、ＣＣＤ等の撮像素子３２と、バヨネットマウント３３等とを備えている。なお、一眼レフカメラのカメラ本体３０には、ミラーボックス等の機構や各種部材が存在するが、ここでは、省略してある。
【０００８】
実施例１の交換レンズ１０は、一眼レフカメラ、ビデオカメラ等の撮影機材に用いられる交換レンズであり、カメラ本体３０のバヨネットマウント３３と結合を行うバヨネットマウント１１を備えている。このバヨネットマウント１１は、カメラ本体３０側のバヨネットマウント３３に対して、回転しながら締結する構造になっている。
この交換レンズ１０には、バヨネットマウント１１がカメラ本体３０のバヨネットマウント３３と結合した状態で、カメラ本体３０側からバヨネットマウント１１に到達する光を遮り、バヨネットマウント１１での反射を低減する遮光部材４１が設けられている。遮光部材４１は、反射をより低減させるために、その表面に植毛素材等を貼り付けて起毛部とすることが好ましい。
【０００９】
バヨネットマウント１１は、バヨネットマウント１１の中央側から外側に向かう方向に突出して形成され、カメラ本体３０のバヨネットマウント３３と係合して抜け止めとなる爪部１１ａを有している。爪部１１ａは、光軸中心に３箇所設けられており、遮光部材４１は、爪部１１ａに設けられている。また、遮光部材４１は、内面反射を防止するためにバヨネットマウント１１の内径側に取り付けられた内径部材１２から、爪部１１ａを覆うように伸ばした延長部であって、内径部材１２から外周側に向けて突出して設けられた突出部となっている。このため、この遮光部材４１は、特に再反射の要因となりうるバヨネットマウント１１の爪部１１ａでの反射を低減させることができる。
通常、バヨネットマウント１１の爪部１１ａは、光軸中心に複数箇所（本実施例では、３箇所）設けられており、理想的には全ての爪部で本実施例の構成を適用することが好ましいが、可能分のみであっても反射光を低減させることができる。
内径部材１２は、反射防止処理を施した部材、例えば、反射防止表面塗料を塗布した部材等が望ましい。
【００１０】
図２は、ローパスフィルタ３１側から交換レンズ１０を見た図である。
交換レンズ１０は、上述したように構成されているので、３箇所の爪部１１ａは、遮光部材４１に覆われ、露出していない。
したがって、ローパスフィルタ３１や撮像素子３２からの反射光が３箇所の爪部１１ａ等で反射することを防止することができ、その結果、撮影結果を向上させることができる。
【００１１】
図３及び図４は、バヨネットマウントをもつ一眼レフカメラのカメラ本体と交換レンズの比較例を示す図である。なお、以下の説明では、上述した実施例と同様な機能を果たす部分は、重複する説明を適宜省略する。
図３に示すように、比較例の交換レンズ鏡筒２０は、実施例１のような遮光部材４１を備えていない。
また、カメラ本体３０は、バヨネットマウント３３の部分が円環状であるが、図４に示すように、ローパスフィルタ３１に続くミラーボックスの開口部３０ａが断面長方形となっている。ここで、ローパスフィルタ３１から交換レンズ２０を見ると、開口部３０ａの四隅では、交換レンズ２０に備えられたバヨネットマウント２１が４箇所露出して見える。露出部２２ａ，２２ｂは、バヨネットマウント２１の爪部２１ａであるため、露出部２２ｃ，２２ｄよりも露出面積が大きく、反射光の影響が大きい。
【００１２】
また、バヨネットマウント２１は、金属であることが多く、しかも、硬質の表面処理を求められることから、光沢面であることが多い。そのため、図３に示すように、光線５０は、ローパスフィルタ３１や撮像素子３２の表面で反射して反射光５１となり（銀塩フィルムカメラの場合は、フィルム表面で反射する）、露出部２１ａ等で反射して反射光５２ｂ，５２ｃとなり、この反射光５２ｂ，５２ｃが撮像素子３２に入射すると、フレアやゴーストとなって画質を劣化させ、撮影結果に悪影響を与えることがある。
これに対して、実施例１の交換レンズ１０は、遮光部材４１を備えているので、このような問題が生じない。
【実施例２】
【００１３】
図５は、実施例２の交換レンズを用いた一眼レフカメラの一部を示す図である。
実施例２の交換レンズ１０−２は、バヨネットマウント１１の爪部１１ａの先端部分に凹部１１ｂを設けて、その凹部１１ｂに遮光部材４２を嵌め込んで取り付けたものである。
実施例２のものは、爪部１１ａからカメラ本体３０側への寸法的余裕が他部材との関係でほとんどない場合に有効である。つまり、実施例２は、強度を保ちながら寸法的にコンパクトにまとめ、反射防止効果も確保できる、という効果がある。
【実施例３】
【００１４】
図６は、実施例３の交換レンズを用いた一眼レフカメラの一部を示す図である。
実施例３の交換レンズ１０−３は、内径部材１２の光軸方向の長さをカメラ本体３０側に延長した遮光部材４３を備えている。この遮光部材４３は、撮像素子３２の辺に対応する部分に設けられ、基本的には、撮像素子３２の四隅部分の長さを短く、他の部分を長めにする花形フードのような形態がよい。また、この遮光部材４３は、必ずしも四隅部分を同一の高さにする必要はなく、その他の構成の都合にあわせて設定すればよい。
実施例３によれば、反射光５１がバヨネットマウント１１に到達してしまうのを防ぐことができ、特に、寸法面で拘束が少ない場合に効果的である。
【実施例４】
【００１５】
図７は、実施例４の交換レンズを用いた一眼レフカメラの一部を示す図である。
実施例４の交換レンズ１０−４は、バヨネットマウント１１の反射面をさらに減らすようにしたものである。バヨネットマウント１１は、バヨネットマウント３３と摺動する面を含むため、塗装処理が難しい。しかし、非摺動部分１１ｃに関しては、例えば、黒色の塗料を塗布する等の塗装処理を行って低反射率部４４を形成すれば、非摺動部分１１ｃがバヨネットマウント１１の摺動部分よりも反射率が低くなり、爪部１１ａ以外の場所からの反射光も低減させることができる。
【００１６】
（変形例）
上述した各実施例は、以下の変形も可能である。
（１）実施例４のような非摺動部分１１ｃの塗装処理を、実施例１〜３の交換レンズに適用してもよい。このようにすれば、バヨネットマウント１１による反射光をより低減させることができる。
（２）図２に示すように、実施例１では、３箇所の爪部１１ａと３箇所の爪部１１ａを連結する部分とを遮光部材４１で覆う例で説明したが、遮光部材４１は、反射光の影響が大きい３箇所の爪部１１ａだけを覆ってもよい。
（３）上述した各実施例では、交換レンズの例で説明したが、このような交換レンズを備えるカメラシステムであってもよい。
なお、上述した各実施例及び変形例は、適宜組み合わせて用いることもできるが、詳細な説明は省略する。また、本発明は、以上説明した各実施例によって限定されることはない。
【図面の簡単な説明】
【００１７】
【図１】実施例１の交換レンズを用いた一眼レフカメラの一部を示す図である。
【図２】ローパスフィルタ３１側から交換レンズ２０を見た図である。
【図３】バヨネットマウントをもつ一眼レフカメラのカメラ本体と交換レンズの比較例を示す図である。
【図４】バヨネットマウントをもつ一眼レフカメラのカメラ本体と交換レンズの比較例を示す図である。
【図５】実施例２の交換レンズを用いた一眼レフカメラの一部を示す図である。
【図６】実施例３の交換レンズを用いた一眼レフカメラの一部を示す図である。
【図７】実施例４の交換レンズを用いた一眼レフカメラの一部を示す図である。
【符号の説明】
【００１８】
１０，１０−２，１０−３，１０−４；交換レンズ、１１；バヨネットマウント、１１ａ；爪部、１１ｂ；凹部、１１ｃ；非摺動部分、１２；内径部材、３０；カメラ本体、３１；ローパスフィルタ、３２；撮像素子、３３；バヨネットマウント、４１，４２，４３；遮光部材、４４；低反射率部
【図１】
2007264017.tif 000003
【図２】
2007264017.tif 000004
【図３】
2007264017.tif 000005
【図４】
2007264017.tif 000006
【図５】
2007264017.tif 000007
【図６】
2007264017.tif 000008
【図７】
2007264017.tif 000009